(57)【要約】【課題】  例えば車両において騒音を効率的に低減する。【解決手段】  吸音装置１０は、基板１００及び吸音材２００を備える。吸音材２００は、断面視コの字型に形成された基板１００の内壁面１００ａに沿って形成されると共に、基板１００の縁端部分に相当する部分から先がロール状に曲折されており、断面視渦巻き状の管路３００を形成している。また、この断面視渦巻き状の管路３００及び管路３００を形成する吸音材２００によって、ロール状の吸音空間４００が規定されている。この管路３００のロールの外側から内側へ向かう方向の断面積は徐々に減少しているため、吸音空間４００の開口部４１０付近における音響インピーダンスの急激な変化が抑制されている。また、管路が断面視渦巻き状に形成されるため、騒音は吸音材に効率的に入射する。【選択図】  図３
2006276209.tif 000002
【特許請求の範囲】
【請求項１】
騒音源から発生する騒音を吸収する吸音装置であって、
基板と、
前記基板に固定され、少なくとも一部に曲折する部分を有する吸音材と
を具備し、
前記曲折する部分に囲まれるように前記騒音を吸収するための空間が形成されている
ことを特徴とする吸音装置。
【請求項２】
前記吸音材の一部は前記基板に沿って形成され、前記曲折する部分は、少なくとも一部が前記基板から離れた位置に存在する
ことを特徴とする請求項１に記載の吸音装置。
【請求項３】
前記曲折する部分は、曲折する過程で、（i）前記基板及び（ii）前記吸音材における既に曲折した部分を含む他の部分と夫々接触しないようにロール状に曲折し、前記空間の少なくとも一部としてロール状の空間を形成する
ことを特徴とする請求項１又は２に記載の吸音装置。
【請求項４】
前記曲折する部分は、曲折する過程で前記ロール状の空間におけるロールの外側から内側へ向う方向の断面積が徐々に減少するように曲折する
ことを特徴とする請求項３に記載の吸音装置。
【請求項５】
騒音源から発生する騒音を吸収する吸音装置であって、
少なくとも一部に曲折する部分を有し、該曲折する部分が、前記騒音を吸収するための空間を形成する基板と、
前記空間の少なくとも一部において前記基板に固定される吸音材と
を具備することを特徴とする吸音装置。
【請求項６】
前記曲折する部分は、前記基板の縁端部分を含む
ことを特徴とする請求項５に記載の吸音装置。
【請求項７】
前記曲折する部分は、曲折する過程で、前記基板における既に曲折した部分を含む他の部分と接触しないようにロール状に曲折し、前記空間の少なくとも一部としてロール状の空間を形成する
ことを特徴とする請求項５又は６に記載の吸音装置。
【請求項８】
前記吸音材は、前記ロール状の空間において、ロールの内側から外側へ向かう方向の開口部分に固定される
ことを特徴とする請求項７に記載の吸音装置。
【請求項９】
前記吸音材は、一端が開口した孔部を有する
ことを特徴とする請求項１から８のいずれか一項に記載の吸音装置。
【請求項１０】
前記孔部は螺旋形状を有する
ことを特徴とする請求項９に記載の吸音装置。
【請求項１１】
前記孔部は、前記騒音の入射方向に開口する
ことを特徴とする請求項９又は１０に記載の吸音装置。
【発明の詳細な説明】
【技術分野】
【０００１】
本発明は、例えば、車両のエンジンなどの騒音源から発生する騒音を吸収することによって低減する吸音装置の技術分野に関する。
【背景技術】
【０００２】
この種の技術として、吸音材を使用するものがある（例えば、特許文献１参照）。特許文献１に開示された消音装置（以下、「従来の技術」と称する）によれば、箱体の内部空間を振動板及び低剛性部材を介して仕切った共鳴器を備えると共に、共鳴器の周囲におけるエンジンカバーと少なくとも騒音発生振動体との間に吸音材を配置することによって、共鳴器が消音する周波数帯域を含めて高周波数の騒音を相対的に低減させられるとされている。
【０００３】
尚、高密度のフェルトを防音材として使用して防音効果を向上させる技術も提案されている（例えば、特許文献２参照）。また、隔壁とカバー本体で囲まれた空間を音圧レベルが高い高圧部に対向させる技術も提案されている（例えば、特許文献３参照）。
【０００４】
【特許文献１】特開平９−２５６８６８号公報
【特許文献２】特開平７−８１００７号公報
【特許文献３】特開２００１−２１４７５２号公報
【発明の開示】
【発明が解決しようとする課題】
【０００５】
吸音材を使用して比較的低周波（長波長）の騒音を吸収するためには、吸音材の厚み又は密度を増す必要があるが、この場合、吸音材の質量及びコストの増加が避け難い。即ち、従来の技術には、効率的に騒音を低減させることが困難であるという技術的な問題点がある。
【０００６】
本発明は、上述した問題点に鑑みてなされたものであり、効率的に騒音を低減させることが可能な吸音装置を提供することを課題とする。
【課題を解決するための手段】
【０００７】
上述した課題を解決するため、本発明に係る吸音装置は、騒音源から発生する騒音を吸収する吸音装置であって、基板と、前記基板に固定され、少なくとも一部に曲折する部分を有する吸音材とを具備し、前記曲折する部分に囲まれるように前記騒音を吸収するための空間が形成されていることを特徴とする。
【０００８】
本発明における「騒音源」とは、官能的に好ましくない音を発生させ得るものを包括する概念であり、例えば、車両におけるエンジンなどを指す。この場合、エンジン全体が騒音源であってもよいし、シリンダヘッド、シリンダブロック又はオイルパンのような、エンジンの一部が騒音源であってもよい。尚、係る概念に反さない限りにおいて、騒音源とはこのような車両のエンジン周りの装置又は部品若しくは部材に限定されない。
【０００９】
本発明における「基板」とは、例えば、騒音源がエンジンであれば、例えば、エンジンカバーなどの遮蔽部材、エンジンコンパートメントにおける何らかのパネル、又は車室内における何らかのパネルなどの一部或いは全体などを指す。基板の形状や構成材料などは、騒音源の態様に応じて適宜異なる。例えば、構成材料はステンレス鋼などの鉄鋼材料、アルミニウム又はチタンなどの金属材料であってもよいし、耐熱性の樹脂材料などであってもよい。また、形状は、平板形状であってもよいし、騒音源の少なくとも一部を収容する（覆う）ような、一部が開口した筺体のようなものであってもよい。
【００１０】
本発明に係る基板には、吸音材が固定される。ここで、本発明における「吸音材」とは、音を吸収する性質を有する材料、例えばグラスウールなどの繊維系材料やウレタンなどの樹脂系材料などによって構成された物体を包括する概念である。尚、吸音材が吸収可能な音の周波数帯域、音の吸収率又は反射率などの物理的な性能は、騒音源から発せられる騒音を幾らかなりとも吸収することが可能である限りにおいて何ら限定されない。また、「固定される」とは、例えば、物理的、機械的、機構的、電気的又は化学的な何らかの手段によって、何らこのような固定がなされない場合と比較して幾らかなりとも吸音材の動きが束縛された状態を包括する概念であり、係る概念が担保される限りにおいて、吸音材は、その一部或いは全部が基板に固着又は貼着されていてもよいし、基板に設けられた支持部材などによって、或いは基板の一部によって、保持されているだけであってもよい。
【００１１】
吸音材は、少なくとも一部に曲折する部分（以下、適宜「曲折部分」と称する）を有する。ここで「曲折する」とは、巨視的又は微視的に見て平坦でない状態を包括する概念であり、係る概念が担保される限りにおいて、その態様は何ら限定されることなく自由に決定されてよい。例えば、比較的鋭角に折り曲げられていてもよいし、緩やかな曲面を描くように曲げられていてもよい。或いは、凹凸が形成されていてもよい。
【００１２】
また、「曲折する部分」とは、吸音材における、厳密な意味で曲折している箇所の他に、巨視的な曲折形状を規定する部分を包括する概念である。例えば、吸音材が断面視コの字型に形成されている場合、吸音材は巨視的に見れば曲折しているとは言え、局所的には平坦な部分が含まれている。このような平坦部分は厳密な意味では曲折していないが、巨視的に見て曲折したコの字型を規定しているのであり、曲折する部分に含まれてよい。
【００１３】
本発明に係る吸音装置によれば、曲折部分によって囲まれるように騒音を吸収するための空間が形成される。
【００１４】
ここで、曲折部分に「囲まれるように」形成された空間とは、必ずしも３次元的に閉じた空間でなくてもよい。例えば、一部が開口していてもよい。また、曲折部分に囲まれている限りにおいて、吸音材における曲折部分以外の他の部分に囲まれることが排除されるものではない趣旨である。尚、曲折部分によって形成される空間の形状は何ら限定されない。
【００１５】
このように、本発明に係る吸音装置によれば、吸音材に設けられた曲折部分によって空間が形成されることにより、吸音材において騒音の吸収に寄与する部分の表面積を増やすことができ、騒音が吸音材に入射する機会を増やすことが可能となる。従って、このような空間が何ら形成されない場合と比較して騒音の吸収効率が向上する。一方で、吸音材の厚みを増加させる場合と比較すると明らかに質量及びコストの増加は抑制される。即ち、効率的に騒音を低減することが可能となるのである。
【００１６】
尚、吸音材の曲折の態様によっては、例えば、騒音が進行する管路を比較的長く確保することも容易にして可能となり、広い周波数帯域の騒音を吸収させることも容易にして可能となる。このような曲折の態様は、予め実験的に、経験的に或いはシミュレーションなどによって、吸収したい騒音の周波数帯に整合するように決定されていてもよい。
【００１７】
本発明に係る吸音装置の一の態様では、前記吸音材の一部は前記基板に沿って形成され、前記曲折する部分は、少なくとも一部が前記基板から離れた位置に存在する。
【００１８】
この態様によれば、吸音材の一部は、基板に沿って形成される。但し、必ずしも基板全体に沿って形成されておらずともよい。また、吸音材は、必ずしも基板に密着しておらずともよい。一方、吸音材において曲折する部分は、少なくとも一部が基板から離れた位置に存在している。
【００１９】
ここで、「基板から離れた位置に存在する」とは、例えば、基板に沿って設けられていない状態などを指す。この際、基板に沿って設けられた部分から面的に連なるように、この基板から離れた位置に存在する部分が形成されていてもよい。
【００２０】
この態様によれば、騒音を吸収するための空間は、基板から離れた位置に存在する曲折部分によってその一部が規定されることになる。基板から離れた位置に存在することにより、曲折部分の形状に関する自由度は飛躍的に向上するから、吸音材の設置スペースなどの制約に応じて効果的に吸音材の表面積を増やすことができる。即ち、空間における吸音材の吸音効率を一層向上させることが可能となるのである。また、エンジンカバーなど、設置空間に制限がある部位にこの態様が適用された場合、エンジンカバー側端部など、設置空間に比較的余裕がある部分で比較的自由に吸音材を曲折させることができるから、設置効率の面で明らかに有利である。
【００２１】
本発明に係る吸音装置の他の態様では、前記曲折する部分は、曲折する過程で、（i）前記基板及び（ii）前記吸音材における既に曲折した部分を含む他の部分と夫々接触しないようにロール状に曲折し、前記空間の少なくとも一部としてロール状の空間を形成する。
【００２２】
この態様によれば、曲折部分は、空間の少なくとも一部としてロール状の空間を形成する。ここで、ロール状の空間とは、吸音材が曲折する過程で、基板や吸音材の他の部分に接触しないようにロール状に曲折する（即ち、相互に空間を隔てて巻かれる）ことによって実現される空間であって、吸音材及び吸音材に挟まれた断面視渦巻き状の管路を含む空間を指す。この場合、断面視渦巻き状の管路は、設置スペースに比較して十分に長い管路長を有することができるため、比較的広範囲の周波数に対して吸音の効果を享受することができる。また、この断面視渦巻き状の管路においては、騒音が入射する面は常に曲面であり、騒音は入射する面において反射し辛くなっている。従って、吸音材に騒音を効率的に入射させることが可能となる。即ち、効率的に騒音を低減することが可能となるのである。
【００２３】
尚、ロール状に曲折される際の、吸音材の厚み及びロール回数などは、吸音装置に要求される吸音性能、設置場所、仕様、及びコストなどに応じて予め実験的に、経験的に、或いはシミュレーションなどによって適切に決定されていてもよい。
【００２４】
尚、この態様では、前記曲折する部分は、曲折する過程で前記ロール状の空間におけるロールの外側から内側へ向う方向の断面積が徐々に減少するように曲折してもよい。
【００２５】
このようにロールの外側から内側へ向かう方向（断面視的に見て渦巻きに沿って渦の中心に向かう方向）の断面積が徐々に減少する場合、断面視渦巻き状の管路は、更に断面視ホーン状の管路、即ち、開口部において最も広がった管路となる。従って、ロール状の空間への入り口付近における音響インピーダンスの変化は緩やかであり、騒音を反射させることなくロール状の空間（狭義には、ロール状の空間において吸音材によって規定される管路）に導くことが可能となる。即ち、一層効率的に騒音を低減することが可能となるのである。
【００２６】
上述した課題を解決するため、本発明に係る他の吸音装置は、騒音源から発生する騒音を吸収する吸音装置であって、少なくとも一部に曲折する部分を有し、該曲折する部分が、前記騒音を吸収するための空間を形成する基板と、前記空間の少なくとも一部において前記基板に固定される吸音材とを具備することを特徴とする。
【００２７】
本発明に係る他の吸音装置によれば、基板が、その少なくとも一部に曲折部分を有し、この曲折部分によって、騒音を吸収するための空間が形成される。尚、係る他の吸音装置においても、「曲折する部分」などの概念は上述した吸音材に関するものと同様である。
【００２８】
吸音材は、この空間の少なくとも一部において基板に固定されている。尚、「固定されている」とは、上述した如く、吸音材が幾らかなりとも束縛された状態を包括する概念である。曲折部分によって形成される空間とは、別言すれば、入射する騒音がこの吸音材によって吸収され得る空間を表す。尚、空間における吸音材の占有比率は何ら限定されない。
【００２９】
この場合、基板における曲折部分によって、騒音の進行経路（管路）が明確に規定される。従って、吸音材によって騒音を効果的に吸収することが可能となる。また、基板の一部が曲折することにより、吸音材の使用量を低減することができるため、質量及びコストを抑制することもできる。即ち、効率的に騒音を低減することが可能となるのである。
【００３０】
本発明に係る他の吸音装置の一の態様では、前記曲折する部分は、前記基板の縁端部分を含む。
【００３１】
この態様によれば、曲折部分は、基板における縁端部分を含む。基板の縁端部分と騒音源との間の部分は、その他の部分と比較して空間的な余裕がある場合が多いため、このように縁端部分を含む部分が曲折する場合には、設置効率の面で明らかに有利となる。
【００３２】
本発明に係る他の吸音装置の一の態様では、前記曲折する部分は、曲折する過程で、前記基板における既に曲折した部分を含む他の部分と接触しないようにロール状に曲折し、前記空間の少なくとも一部としてロール状の空間を形成する。
【００３３】
この態様によれば、基板の曲折部分は、ロール状に曲折する。この際、この曲折する部分は、曲折する過程で、既に曲折した部分を含む他の部分と接触しないように曲折するため、結果的に、基板間にロール状の空間（間隙を介して基板が巻かれてなる空間）が形成される。
【００３４】
このようにロール状の空間が形成される場合、この空間における管路は、断面視渦巻き状となり、比較的長い管路をコンパクトに収めることが可能となる。また、基板が曲折しているため、既に述べたように管路は明確に規定されており、この管路を進行する騒音に対しては、結局吸音材の厚みを増加させたのと同等の効果が得られ、比較的低周波領域の騒音を効果的に吸収することが容易にして可能となる。この場合も、この断面視渦巻き状の管路に吸音材が充填されるのみであり、このように基板が曲折しない場合と比較すれば、明らかに吸音材の使用量は低減されている。即ち、効率的に騒音を低減することが可能となるのである。
【００３５】
尚、吸音材は、ロール状に曲折する部分に沿って、同じくロール状に形成されていてもよい。この際、吸音材の厚みを徐々に変化させることによって、既に述べたような、断面視ホーン形状の管路を形成することも容易にして可能である。
【００３６】
尚、この態様では、前記吸音材は、前記ロール状の空間において、ロールの内側から外側へ向かう方向の開口部分に固定される。
【００３７】
基板がロール状に曲折することによって形成される管路では、入射する騒音（音波）が係る管路の終点部分で反射して定在波が形成される。この管路の長さをλ／４とする騒音については、管路を始点で係る定在波の振幅が最大となる（即ち、定在波の腹に相当する）。
【００３８】
従って、ロールの内側から外側へ向かう方向の開口部に吸音材が固定されることによって、この波長の騒音が効果的に吸収される。この場合、吸音材は、開口部に設けるのみでよく、明らかに質量及びコストの抑制が実現される。
【００３９】
尚、別言すれば、吸収したい音波の波長が予め確定している場合には、係る波長に整合した管路長となるように基板をロール状に形成することにより、係る音波を効果的に吸収することが可能となる。
【００４０】
本発明に係る吸音装置又は他の吸音装置の他の態様では、前記吸音材は、一端が開口した孔部を有する。
【００４１】
この態様によれば、吸音材に孔部が形成されているため、質量及びコストが抑制される。また、この孔部は、一端が開口している。騒音源から発せられた騒音の一部は、この開口部分から孔部に入射し、孔部を進行する過程で吸音材に吸収されるため、何らこのような孔部が形成されない場合と比較すると、吸音材の吸音効率が向上する。即ち、効率的に騒音を低減することが可能となるのである。
【００４２】
尚、孔部の形状、個数、及び形成位置などは、実験的に、経験的に、或いはシミュレーションなどによって、予め適切に決定されていてもよい。
【００４３】
尚、この態様では、前記孔部は螺旋形状を有してもよい。
孔部の形状は自由であってよいが、このように螺旋形状である場合には、直孔形状と比較して孔部の長さを増大させることが容易にして可能となる。従って、騒音の吸収効率を効率的に向上させることが可能となる。
【００４４】
尚、この態様では、前記孔部は、前記騒音の入射方向に開口していてもよい。
このように騒音の入射方向に孔部が開口する場合には、音波が比較的入射し易いため、効率的に騒音を低減することが可能となる。
【００４５】
本発明のこのような作用及び他の利得は次に説明する実施形態から明らかにされる。
【発明を実施するための最良の形態】
【００４６】
＜発明の実施形態＞
以下、適宜図面を参照し、本発明の好適な実施形態について説明する。
【００４７】
＜第１実施形態＞
＜実施形態の構成＞
始めに、図１を参照して、本発明の第１実施形態に係る吸音装置の構成について説明する。ここに、図１は、吸音装置１０の概念図である。
【００４８】
図１において、吸音装置１０は、本発明に係る「騒音源」の一例たるエンジン１１の上部を収容するように設置され、エンジン１１から発生する騒音を吸収することによって係る騒音を低減することが可能に構成されている。尚、吸音装置１０は、エンジンカバーなど遮蔽部材としての機能を併せ持っていてもよい。エンジン１１は、図示せぬ車両の動力源であり、従って、吸音装置１０は車両に搭載されている。
【００４９】
次に、図２を参照して、吸音装置１０の詳細な構成について説明する。ここに、図２は、図１におけるＡ−Ａ’線視断面図である。尚、同図において、図１と重複する箇所には同一の符号を付してその説明を省略する。
【００５０】
図２において、吸音装置１０は、基板１００及び吸音材２００を備える。
【００５１】
基板１００は、アルミニウムなどの金属材料で一体成型された部材である。
【００５２】
吸音材２００は、グラスウールなどの繊維系材料で形成されており、エンジン１１から発生する騒音を吸収することが可能に構成されている。吸音材２００は、一部が基板１００の内壁面１００ａに沿うように内壁面１００ａに固定されている。
【００５３】
吸音装置１０とエンジン１１との間には、空間１２が介在しており、エンジン１１から発せられた騒音は、空間１２に音波として三次元的に放出された後に吸音装置１０によって吸音される構成となっている。空間１２は、エンジン１１の側方に対応する部分が、上方に対応する部分と比較して広くなっており、これに伴い、吸音材２００も、この部分で比較的厚く形成されている。
【００５４】
次に、図３を参照して、吸音装置１０の更なる詳細について説明する。ここに、図３は、吸音装置１０の側端部１０Ａ（図２における点線枠）の拡大図である。尚、同図において、図２と重複する箇所には同一の符号を付してその説明を省略する。尚、図３には、吸音装置１００における一の側端部について拡大図が示されているが、側端部の構成は、吸音装置１００全体において等しい構成であるとしてその説明を省略することとする。
【００５５】
図３において、基板１００は、断面視コの字型に構成されている。吸音材２００は、このコの字型に形成された基板１００の内壁面１００ａに沿って形成されると共に、基板１００の縁端部分に相当する部分から先が、図示曲折方向にロール状に曲折されており、断面視渦巻き状の管路３００を形成している。即ち、吸音材２００の一部は、基板１００から離れた位置に存在している。また、この断面視渦巻き状の管路３００及び管路３００を形成する吸音材２００によって、空間１２の一部に吸音空間４００が規定され、開口部４１０がエンジン１１の方向に開口している。吸音空間４００は、本発明に係る「ロール状の空間」の一例である。
【００５６】
ここで、図４を参照して、この吸音空間４００の詳細について説明する。ここに、図４は、吸音空間４００の開口部４１０付近の模式断面図である。尚、同図において、図３と重複する箇所には同一の符号を付してその説明を省略する。
【００５７】
図４において、吸音空間４００の管路３００は、開口部４１０から図示曲折方向の断面積（ロールの外側から内側へ向う方向の断面積）が徐々に小さくなっており、断面視ホーン状の空間となっている。即ち、開口部４１０に近い順に例示される断面積３００Ｓ１、３００Ｓ２及び３００Ｓ３は、その大小関係が、３００Ｓ１＞３００Ｓ２＞３００Ｓ３となっている。
【００５８】
＜実施形態の効果＞
上記構成を有する吸音装置１０の効果について、引き続き図４を参照して説明する。
【００５９】
吸音装置１０において、管路３００は断面視ホーン状の空間となっている。従って、空間１２のうち吸音空間４００が形成されていない部分から、開口部４１０を介してこの管路３００へと向う経路において、空間の音響インピーダンスは、徐々に変化し、急激な変化が生じない構成となっている。従って、エンジン１１から発せられる騒音は、反射が抑制された状態で吸音空間４００に進入することができる。
【００６０】
次に、図５を参照して、吸音装置１０の更なる効果について説明する。ここに、図５は、吸音空間４００の効果を説明する模式図である。尚、同図において、前述した各図と重複する箇所には同一の符号を付してその説明を省略する。
【００６１】
図５において、図５（ａ）は、本発明の比較例に係る吸音材１３によって形成された直線状の管路１４が示される。吸音空間内に進入する騒音の進入角度は多様であり、例えば、図示矢線ａ方向に進行する騒音もあれば、図示矢線ｂ方向に進行する騒音も存在する。然るに、比較例に係る管路１４では、矢線ａ方向の騒音は吸音材１３によって吸収することは出来ても、矢線ｂ方向の騒音は吸音材１３に吸収されぬまま進行してしまう。即ち、比較例に係る管路の構造では、吸音空間における騒音の吸収効率が芳しくない。
【００６２】
図５（ｂ）には、本実施形態に係る吸音空間４００が示される。既に述べたように、管路３００は、断面視渦巻き状に形成されている。従って、図示各矢線として示すように、騒音は、どの方向から進入しても（どの方向へ進行しても）、吸音材２００によって吸収される。従って、吸音空間における騒音の吸収効率は比較例に係る管路構造と比較して高くなっている。
【００６３】
以上、説明したように、本実施形態に係る吸音装置１０によれば、エンジン１１において発生する騒音を効果的に吸収することができる。この際、吸音材２００の全体的な使用量は、吸音空間４００を吸音材２００で充填する場合と比較すれば、管路３００の分だけ確実に減少するから、吸音装置１０の質量及びコストを好適に抑制することが可能となる。即ち、効率的に騒音を低減することが可能となるのである。
【００６４】
＜第２実施形態＞
第１実施形態では、吸音材がロール状に曲折することによって断面視渦巻き状の管路が形成されていたが、同様の構成はこれ以外にも実現可能である。ここで、このような本発明の第２実施形態について説明する。
【００６５】
始めに、図６を参照して、本発明の第２実施形態に係る吸音装置の構成について説明する。ここに、図６は、吸音装置１５の側端部の拡大断面図である。尚、同図において、図３と重複する箇所については同一の符号を付してその説明を省略する。
【００６６】
図６において、吸音装置１５は、基板１１０と吸音材２１０を備える。
【００６７】
基板１１０は、材質的には第１実施形態に係る基板１００と同等であり、基板１００と比較すると、図３においてコの字型に形成される際の縁端部から更にロール状に曲折する部分を有している点で異なっている。このようにロール状に曲折する部分を有することによって、断面視渦巻き状の管路３００が形成され、ロール状の吸音空間５００が形成されている。
【００６８】
吸音材２１０は、材質的には第１実施形態に係る吸音材２００と同等であり、吸音空間５００の一部に充填されることによって基板１１０に固定されている。
【００６９】
第２実施形態に係る吸音装置１５によれば、管路３００が、吸音材ではなく基板によって形成されるため、第１実施形態に比較して、管路が明確に規定される。従って、この管路３００に進入する騒音は、明確に長い管路内を進行することになる。この管路３００内には吸音材２１０が充填されているから、結局、騒音は、擬似的に見て十分に厚みのある吸音材に入射していることになる。従って、吸音材２１０によって吸収可能な騒音の周波数帯域を広帯域化することが可能となる。本実施形態においても、吸音材２１０は管路３００の容積以上には充填され得ず、吸音材の使用量を抑制することが可能となる。即ち、効率的に騒音を低減することが可能となるのである。
【００７０】
＜変形例＞
尚、吸音空間５００内の吸音材の配置態様は、上述のものに限定されない。例えば、図７に示す態様を採ることも可能である。ここに、図７は、第２実施形態の変形例に係る吸音材の配置態様を示す模式図である。また、図８は、第２実施形態の変形例に係る吸音材の他の配置態様を示す模式図である。尚、各図において、図６と重複する箇所には同一の符号を付してその説明を省略する。
【００７１】
図７において、本実施形態に係る吸音材は、基板１１０に沿うように、基板１１０と同様ロール状に形成される吸音材２１１であってもよい（図７（ａ））。また、吸音材は、基板１１０に沿うと共に、一方向に徐々に厚みを増した吸音材２１２であってもよい。吸音材２１２が採用される場合には、第１実施形態において説明した、断面視ホーン形状の管路を形成することも可能である。
【００７２】
図８において、本実施形態に係る吸音材は、吸音空間５００の開口部５１０を塞ぐように配置された吸音材２２０であってもよい。この場合、管路３００の管路長をλ／４とする波長（特定波長）の騒音を効果的に吸収することができる。この特定波長の騒音の吸収効果について、図９を参照して説明する。ここに、図９は、図８の模式図である。
【００７３】
図９において、管路３００は、図８における断面視渦巻き状の管路３００を伸張させた図である。この管路３００に入射する騒音は、管路３００の終了地点において反射し、管路３００内に定在波を形成する。従って、この管路３００の管路長をλ／４とする波長の騒音では、管路３００の開始地点、即ち、開口部５１０において、この定在波の腹（振幅最大点）が通過することになる。そこで、この開口部５１０に吸音材２２０を配置することによって、係る波長の騒音を特に効果的に吸収することが可能となる。
【００７４】
この場合、特定波長（周波数）が予め確定しているならば、管路長をそれに整合するように形成することによって、簡便に係る効果を享受することも可能となる。
【００７５】
＜第３実施形態＞
吸音材の使用量を抑制しつつ効果的に騒音を吸収する形態は、上述した第１及び第２実施形態のものに限定されない。ここで、図１０を参照して、このような本発明の第３実施形態に係る吸音装置ついて説明する。ここに、図１０は、吸音装置１６の模式的斜視図である。尚、同図において、上述した各図と重複する箇所には同一の符号を付してその説明を省略する。
【００７６】
図１０において、吸音装置１６は、基板１００と吸音材２３０を備える。吸音材２３０には、複数の孔部２３１が形成されており、この孔部２３１の分について質量の増加が抑制されている。
【００７７】
次に、図１１を参照して、吸音装置１６の詳細について説明する。ここに、図１１は、吸音装置１６の側端部の拡大断面図である。尚、同図において、図１０と重複する箇所には同一の符号を付してその説明を省略することとする。
【００７８】
図１１において、基板１００は、第１実施形態に係る吸音装置１０と同様に断面視コの字型に形成されている。吸音材２３０は、基板１００に沿って折れ曲がると共に孔部２３１を有することによって、本発明に係る「曲折した」形状を実現している。この孔部２３１は、騒音の入射する方向（図示矢線方向）に開口した開口部２３２を有しており、開口部２３２から吸音材２３０内部に螺旋状の空間を形成している。
【００７９】
本実施形態によれば、孔部２３１が螺旋形状を有することによって、騒音が進行する管路を比較的長くすることが可能となっている。このため、吸音材２３０によって比較的広範囲の周波数帯域について騒音を吸収することが可能となっている。また、この孔部２３１が複数形成されることによって吸音材２３０は軽量化されており、質量及びコストの増加が抑制されている。即ち、効率的に騒音を低減することが可能となっているのである。
【００８０】
＜変形例＞
尚、孔部２３１における騒音の入射方向の断面形状（開口部の断面形状）は、何ら限定されることなく自由に決定されてよい。例えば、図１２に例示する態様を採ることも可能である。ここに、図１２は、孔部２３１における開口部２３２の断面形状の例示図である。
【００８１】
図１２において、開口部２３２は、四角形型の断面形状を有する開口部２３２ａであってもよい（図１２（ａ））。また、開口部２３２は、楕円型の断面形状を有する開口部２３２ｂであってもよい（図１２（ｂ））。また、開口部２３２は、十字型の断面形状を有する開口部２３２ｃであってもよい（図１２（ｃ））。いずれの形状であっても、また、ここに例示されない他の断面形状であっても、本実施形態に係る効果は何ら阻害されない。
【００８２】
尚、本実施形態に係る孔部２３１は、上述した第１実施形態及び第２実施形態に夫々係る吸音装置１０及び吸音装置１５における吸音材２００及び２１０に採用されてもよい。例えば、断面視渦巻き状の管路を規定する吸音材にこのような孔部が形成されていてもよい。この場合、基板又は吸音材がロール状に曲折することによって得られる効果に、更に係る孔部の効果が加えられ、一層効果的である。
【００８３】
本発明は、上述した実施例に限られるものではなく、請求の範囲及び明細書全体から読み取れる発明の要旨或いは思想に反しない範囲で適宜変更可能であり、そのような変更を伴う吸音装置もまた本発明の技術的範囲に含まれるものである。
【図面の簡単な説明】
【００８４】
【図１】本発明の第１実施形態に係る吸音装置の概念図である。
【図２】図１におけるＡ−Ａ’線視断面図である。
【図３】図２における側端部の拡大図である。
【図４】図３における吸音空間の開口部付近の模式断面図である。
【図５】図１の吸音装置における吸音空間の効果を説明する模式図である。
【図６】本発明の第２実施形態に係る吸音装置の側端部の拡大断面図である。
【図７】図６の吸音装置の変形例に係る吸音材の配置態様を示す模式図である。
【図８】図６の吸音装置の変形例に係る吸音材の他の配置態様を示す模式図である。
【図９】図８の模式図である。
【図１０】本発明の第３実施形態に係る吸音装置の模式的斜視図である。
【図１１】図１０の吸音装置における側端部の拡大断面図である。
【図１２】図１１における開口部の断面形状の例示図である。
【符号の説明】
【００８５】
１０…吸音装置、１５…吸音装置、１６…吸音装置、１００…基板、１１０…基板、２００…吸音材、２１０…吸音材、２２０…吸音材、２３０…吸音材、３００…管路、４００…吸音空間、４１０…開口部、５００…吸音空間、５１０…開口部。
【図１】
2006276209.tif 000003
【図２】
2006276209.tif 000004
【図３】
2006276209.tif 000005
【図４】
2006276209.tif 000006
【図５】
2006276209.tif 000007
【図６】
2006276209.tif 000008
【図７】
2006276209.tif 000009
【図８】
2006276209.tif 000010
【図９】
2006276209.tif 000011
【図１０】
2006276209.tif 000012
【図１１】
2006276209.tif 000013
【図１２】
2006276209.tif 000014